(57)【要約】【課題】輝度ムラを抑制する。【解決手段】バックライト装置（照明装置）１２は、光を出射させる光出射部１４ｂを有するシャーシ１４と、シャーシ１４内に収容され、光出射部１４ｂに向けて発せられる光の配光分布に異方性を有する第１のＬＥＤ（第１の光源）１７Ａと、第１のＬＥＤ１７Ａに隣り合う形でシャーシ１４内に収容され、光出射部１４ｂに向けて発せられる光の配光分布に異方性を有するとともに、その配光分布が第１のＬＥＤ１７Ａに係る配光分布を補完するよう相補的に配される第１のＬＥＤ（第２の光源）１７Ｂと、を備える。【選択図】図６
2013161636.tif 000002
【特許請求の範囲】
【請求項１】
光を出射させる光出射部を有するシャーシと、
前記シャーシ内に収容され、前記光出射部に向けて発せられる光の配光分布に異方性を有する第１の光源と、
前記第１の光源に隣り合う形で前記シャーシ内に収容され、前記光出射部に向けて発せられる光の配光分布に異方性を有するとともに、その配光分布が前記第１の光源に係る前記配光分布を補完するよう相補的に配される第２の光源と、を備える照明装置。
【請求項２】
前記第１の光源は、前記配光分布に光の拡散範囲が相対的に広い広角方向と、光の拡散範囲が相対的に狭く且つ前記広角方向と交差する狭角方向とが含まれているのに対し、
前記第２の光源は、その前記配光分布に光の拡散範囲が相対的に広い広角方向と、光の拡散範囲が相対的に狭く且つ前記広角方向と交差する狭角方向とが含まれるとともに、その前記配光分布における前記広角方向が前記第１の光源に係る前記配光分布における前記狭角方向に並行し、且つその前記配光分布における前記狭角方向が前記第１の光源に係る前記配光分布における前記広角方向に並行するよう配されている請求項１記載の照明装置。
【請求項３】
前記第１の光源は、その前記配光分布における前記広角方向と前記狭角方向とが互いに直交する関係とされているのに対し、
前記第２の光源は、その前記配光分布における前記広角方向と前記狭角方向とが互いに直交する関係とされるとともに、前記第１の光源に対して、前記第１の光源に係る前記配光分布における前記広角方向に沿って隣り合う位置と、前記第１の光源に係る前記配光分布における前記狭角方向に沿って隣り合う位置とにそれぞれ配されている請求項２記載の照明装置。
【請求項４】
前記第１の光源及び前記第２の光源は、それぞれの前記配光分布が前記広角方向及び前記狭角方向についてそれぞれ略対称状をなしている請求項２または請求項３記載の照明装置。
【請求項５】
前記第１の光源及び前記第２の光源は、それぞれ発光素子を複数ずつ有しており、
前記第２の光源は、その複数の前記発光素子の並び方向が、前記第１の光源における複数の前記発光素子の並び方向に対して交差するよう配されている請求項１から請求項４のいずれか１項に記載の照明装置。
【請求項６】
前記第２の光源は、その複数の前記発光素子の並び方向が、前記第１の光源における複数の前記発光素子の並び方向に対して直交するよう配されるとともに、前記第１の光源に対して、前記第１の光源における複数の前記発光素子の並び方向に沿って隣り合う位置と、前記第２の光源における複数の前記発光素子の並び方向に沿って隣り合う位置とにそれぞれ配されている請求項５記載の照明装置。
【請求項７】
前記第１の光源及び前記第２の光源は、それぞれにおける複数の前記発光素子が略同一とされる請求項５または請求項６記載の照明装置。
【請求項８】
前記シャーシは、前記光出射部とは反対側に配される底板を有しており、
前記第１の光源及び前記第２の光源は、前記底板の板面内において複数ずつ交互に並んで配されている請求項１から請求項７のいずれか１項に記載の照明装置。
【請求項９】
前記シャーシは、前記光出射部とは反対側に配される底板を有しており、
前記第１の光源及び前記第２の光源は、前記底板の板面内において複数ずつ交互に行列状に並んで配されている請求項１から請求項８のいずれか１項に記載の照明装置。
【請求項１０】
前記第１の光源及び前記第２の光源は、それぞれの前記配光分布が略同一とされる請求項１から請求項９のいずれか１項に記載の照明装置。
【請求項１１】
前記第１の光源及び前記第２の光源が実装されるとともに、複数が前記シャーシ内において隣り合う形で収容される光源基板が備えられており、
複数の前記光源基板は、前記第１の光源及び前記第２の光源の配置が同一とされている請求項１から請求項１０のいずれか１項に記載の照明装置。
【請求項１２】
前記光源基板には、前記第１の光源及び前記第２の光源が、前記シャーシ内における前記光源基板の並び方向に沿って偶数ずつ交互に並んで配されている請求項１１記載の照明装置。
【請求項１３】
請求項１から請求項１２のいずれか１項に記載の照明装置と、前記照明装置からの光を利用して表示を行う表示パネルとを備える表示装置。
【請求項１４】
前記表示パネルは、一対の基板間に液晶を封入してなる液晶パネルとされる請求項１３記載の表示装置。
【請求項１５】
請求項１３または請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要としている。このバックライト装置は、液晶パネルの裏側（表示面とは反対側）に設置されるようになっており、液晶パネル側の面が開口したシャーシと、シャーシ内に収容される光源と、シャーシ内に配されて光をシャーシの開口部側に反射させる反射シートと、シャーシの開口部に配されて光源が発する光を効率的に液晶パネル側へ放出させるための光学部材（拡散シート等）とを備える。このようなバックライト装置の光源としてＬＥＤを用いたものが、下記特許文献１に記載されている。
【先行技術文献】
【特許文献】
【０００３】
【特許文献１】特開２００６−３１０３１９号公報
【発明の概要】
【発明が解決しようとする課題】
【０００４】
ところで、ＬＥＤとして、その配光分布に異方性を有するものをバックライト装置の光源として用いた場合には、バックライト装置の出射光に輝度ムラが生じることが懸念され、その対応に苦慮していた。
【０００５】
本発明は上記のような事情に基づいて完成されたものであって、輝度ムラを抑制することを目的とする。
【課題を解決するための手段】
【０００６】
本発明の照明装置は、光を出射させる光出射部を有するシャーシと、前記シャーシ内に収容され、前記光出射部に向けて発せられる光の配光分布に異方性を有する第１の光源と、前記第１の光源に隣り合う形で前記シャーシ内に収容され、前記光出射部に向けて発せられる光の配光分布に異方性を有するとともに、その配光分布が前記第１の光源に係る前記配光分布を補完するよう相補的に配される第２の光源と、を備える。
【０００７】
このようにすれば、シャーシ内に収容された第１の光源及び第２の光源から発せられた光は、シャーシの光出射部から外部へと出射される。これら第１の光源及び第２の光源は、それぞれの配光分布に異方性を有しているものの、シャーシ内においてそれらの配光分布が相互に補完し合うよう相補的に配されているので、光出射部からの出射光に係る配光分布を等方化することができる。これにより、出射光に輝度ムラが生じ難くすることができる。
【０００８】
本発明の実施態様として、次の構成が好ましい。
（１）前記第１の光源は、前記配光分布に光の拡散範囲が相対的に広い広角方向と、光の拡散範囲が相対的に狭く且つ前記広角方向と交差する狭角方向とが含まれているのに対し、前記第２の光源は、その前記配光分布に光の拡散範囲が相対的に広い広角方向と、光の拡散範囲が相対的に狭く且つ前記広角方向と交差する狭角方向とが含まれるとともに、その前記配光分布における前記広角方向が前記第１の光源に係る前記配光分布における前記狭角方向に並行し、且つその前記配光分布における前記狭角方向が前記第１の光源に係る前記配光分布における前記広角方向に並行するよう配されている。このようにすれば、第２の光源から発せられた光のうち、広角方向に拡散される光は、第１の光源に係る配光分布における狭角方向に並行して進行することで、第１の光源に係る配光分布が補完される。同様に、第１の光源から発せられた光のうち、広角方向に拡散される光は、第２の光源に係る配光分布における狭角方向に並行して進行することで、第２の光源に係る配光分布が補完される。以上により、第１の光源及び第２の光源は、相互の配光分布が補完され、もって光出射部からの出射光に輝度ムラが生じ難くなる。
【０００９】
（２）前記第１の光源は、その前記配光分布における前記広角方向と前記狭角方向とが互いに直交する関係とされているのに対し、前記第２の光源は、その前記配光分布における前記広角方向と前記狭角方向とが互いに直交する関係とされるとともに、前記第１の光源に対して、前記第１の光源に係る前記配光分布における前記広角方向に沿って隣り合う位置と、前記第１の光源に係る前記配光分布における前記狭角方向に沿って隣り合う位置とにそれぞれ配されている。このようにすれば、第１の光源から発せられた光のうち、広角方向に拡散される光によって、第１の光源に対してその配光分布における広角方向に沿って隣り合う位置に配された第２の光源に係る配光分布が補完される。一方、第１の光源に対してその配光分布における狭角方向に沿って隣り合う位置に配された第２の光源から発せられた光のうち、広角方向に拡散される光によって、第１の光源に係る配光分布が補完される。以上により、第１の光源と、第１の光源に対して隣り合って配される各第２の光源とは、相互の配光分布が補完される。
【００１０】
（３）前記第１の光源及び前記第２の光源は、それぞれの前記配光分布が前記広角方向及び前記狭角方向についてそれぞれ略対称状をなしている。このようにすれば、第１の光源及び第２の光源の各配光分布に基づいて、第１の光源及び第２の光源の配置を容易に定めることができるとともに、相互の配光分布を良好に補完することができる。
【００１１】
（４）前記第１の光源及び前記第２の光源は、それぞれ発光素子を複数ずつ有しており、前記第２の光源は、その複数の前記発光素子の並び方向が、前記第１の光源における複数の前記発光素子の並び方向に対して交差するよう配されている。このようにすれば、第１の光源及び第２の光源がそれぞれ発光素子を複数ずつ有しているから、各光源において発光効率が高くなるとともに放熱設計が容易なものとなる。そして、第１の光源及び第２の光源から発せられた光のうち、発光素子の並び方向に沿って進行する光の拡散範囲が最も広くなるため、第１の光源及び第２の光源の配光分布に異方性が存在している。これに対し、第１の光源が有する複数の発光素子の並び方向と、第２の光源が有する複数の発光素子の並び方向とを交差する関係とすることで、第１の光源及び第２の光源における相互の配光分布が補完され、それにより出射光の輝度ムラを緩和することができる。
【００１２】
（５）前記第２の光源は、その複数の前記発光素子の並び方向が、前記第１の光源における複数の前記発光素子の並び方向に対して直交するよう配されるとともに、前記第１の光源に対して、前記第１の光源における複数の前記発光素子の並び方向に沿って隣り合う位置と、前記第２の光源における複数の前記発光素子の並び方向に沿って隣り合う位置とにそれぞれ配されている。このようにすれば、第１の光源から発せられた光のうち、その複数の発光素子の並び方向に拡散される光によって、第１の光源に対してその複数の発光素子の並び方向に沿って隣り合う位置に配された第２の光源に係る配光分布が補完される。一方、第１の光源に対して、第２の光源における複数の発光素子の並び方向に沿って隣り合う位置に配された第２の光源から発せられた光のうち、その複数の発光素子の並び方向に拡散される光によって、第１の光源に係る配光分布が補完される。以上により、第１の光源と、第１の光源に対して隣り合って配される各第２の光源とは、相互の配光分布が補完される。
【００１３】
（６）前記第１の光源及び前記第２の光源は、それぞれにおける複数の前記発光素子が略同一とされる。このようにすれば、第１の光源及び第２の光源を部材として共通化することができるから、第１の光源及び第２の光源に係る製造コストを低減させることができる。
【００１４】
（７）前記シャーシは、前記光出射部とは反対側に配される底板を有しており、前記第１の光源及び前記第２の光源は、前記底板の板面内において複数ずつ交互に並んで配されている。このようにすれば、仮に第１の光源または第２の光源を底板の板面内において複数連続的に並べて配した場合に比べると、光出射部からの出射光により輝度ムラが生じ難くなる。また、当該照明装置の大型化を図る上で好適になる。
【００１５】
（８）前記シャーシは、前記光出射部とは反対側に配される底板を有しており、前記第１の光源及び前記第２の光源は、前記底板の板面内において複数ずつ交互に行列状に並んで配されている。このようにすれば、仮に第１の光源または第２の光源を底板の板面内において複数ずつ行列状に連続的に並べて配した場合に比べると、光出射部からの出射光に一層輝度ムラが生じ難くなる。また、当該照明装置の大型化を図る上で一層好適になる。
【００１６】
（９）前記第１の光源及び前記第２の光源は、それぞれの前記配光分布が略同一とされる。このようにすれば、第１の光源及び第２の光源を部材として共通化することができるから、第１の光源及び第２の光源に係る製造コストを低減させることができる。
【００１７】
（１０）前記第１の光源及び前記第２の光源が実装されるとともに、複数が前記シャーシ内において隣り合う形で収容される光源基板が備えられており、複数の前記光源基板は、前記第１の光源及び前記第２の光源の配置が同一とされている。このようにすれば、複数の光源基板を部材として共通化することができるから、光源基板に係る製造コストを低減させることができる。
【００１８】
（１１）前記光源基板には、前記第１の光源及び前記第２の光源が、前記シャーシ内における前記光源基板の並び方向に沿って偶数ずつ交互に並んで配されている。このようにすれば、シャーシ内において互いに隣り合う光源基板のうち、一方の光源基板における他方の光源基板寄りに配された第１の光源または第２の光源には、他方の光源基板における一方の光源基板寄りに配された第２の光源または第１の光源が隣り合うことになる。これにより、隣り合う光源基板間においても、第１の光源及び第２の光源における配光分布が相互に補完され、もって光出射部からの出射光に一層輝度ムラが生じ難くなる。
【００１９】
次に、上記課題を解決するために、本発明の表示装置は、上記記載の照明装置と、前記照明装置からの光を利用して表示を行う表示パネルとを備える。
【００２０】
このような表示装置によると、表示パネルに対して光を供給する照明装置が、出射光に輝度ムラを生じさせ難いものであるため、表示品質の優れた表示を実現することが可能となる。
【００２１】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２２】
本発明によれば、輝度ムラを抑制することができる。
【図面の簡単な説明】
【００２３】
【図１】本発明の実施形態１に係るテレビ受信装置の概略構成を示す分解斜視図
【図２】テレビ受信装置が備える液晶表示装置の概略構成を示す分解斜視図
【図３】液晶表示装置に備わるシャーシにおけるＬＥＤ基板及び反射シートの配置構成を示す平面図
【図４】液晶表示装置の短辺方向に沿った断面構成を示す断面図
【図５】液晶表示装置の長辺方向に沿った断面構成を示す断面図
【図６】行列状に並列されたＬＥＤの配置構成を示す平面図
【図７】図６のvii-vii線断面図
【図８】図６のviii-viii線断面図
【図９】ＬＥＤの配光分布を示すグラフ
【図１０】本発明の実施形態２に係るＬＥＤの配置構成を示す平面図
【図１１】図１０のxi-xi線断面図
【図１２】図１０のxii-xii線断面図
【図１３】本発明の実施形態３に係るＬＥＤの配置構成を示す平面図
【図１４】本発明の実施形態４に係るシャーシにおけるＬＥＤ基板の配置構成を示す平面図
【図１５】ＬＥＤ及びＬＥＤ基板の配置構成を示す平面図
【図１６】本発明の実施形態５に係るＬＥＤ及びＬＥＤ基板の配置構成を示す平面図
【図１７】本発明の実施形態６に係るＬＥＤの配置構成を示す平面図
【図１８】本発明の実施形態７に係るＬＥＤ及びＬＥＤ基板の配置構成を示す平面図
【図１９】本発明の実施形態８に係るＬＥＤ及び拡散レンズの断面構成を示す断面図
【発明を実施するための形態】
【００２４】
＜実施形態１＞
本発明の実施形態１を図１から図９によって説明する。本実施形態では、液晶表示装置１０について例示する。なお、各図面の一部にはＸ軸、Ｙ軸及びＺ軸を示しており、各軸方向が各図面で示した方向となるように描かれている。また、図４及び図５に示す上側を表側とし、同図下側を裏側とする。
【００２５】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長（長手）の方形状（長方形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００２６】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００２７】
続いて、バックライト装置１２について詳しく説明する。バックライト装置１２は、図２に示すように、表側（光出射側、液晶パネル１１側）に開口する光出射部１４ｂを有した略箱型をなすシャーシ１４と、シャーシ１４の光出射部１４ｂを覆うようにして配される光学部材１５と、シャーシ１４の外縁部に沿って配され光学部材１５の外縁部をシャーシ１４との間で挟んで保持するフレーム１６とを備える。さらに、シャーシ１４内には、光源であるＬＥＤ（Light Emitting Diode：発光ダイオード）１７と、ＬＥＤ１７が実装されたＬＥＤ基板１８と、シャーシ１４内の光を表側（光出射側、光学部材１５側）に反射させる反射シート１９とが備えられる。このように、本実施形態に係るバックライト装置１２は、シャーシ１４内において液晶パネル１１及び光学部材１５の直下位置にＬＥＤ１７が配された、いわゆる直下型とされる。以下では、バックライト装置１２の各構成部品について詳しく説明する。
【００２８】
シャーシ１４は、例えばアルミニウム板や電気亜鉛めっき綱板（ＳＥＣＣ）などの金属板からなり、図３から図５に示すように、液晶パネル１１と同様に横長な方形状（矩形状、長方形状）をなす底板１４ａと、底板１４ａの各辺（一対の長辺及び一対の短辺）の外端からそれぞれ表側（光出射側）に向けて立ち上がる側板１４ｃと、各側板１４ｃの立ち上がり端から外向きに張り出す受け板１４ｄとからなり、全体としては表側に向けて開口した浅い略箱型（略浅皿状）をなしている。シャーシ１４は、その長辺方向がＸ軸方向と一致し、短辺方向がＹ軸方向と一致している。シャーシ１４における底板１４ａは、ＬＥＤ基板１８に対して裏側、つまりＬＥＤ１７の光出射側とは反対側に配されている。シャーシ１４における各受け板１４ｄには、表側からフレーム１６及び次述する光学部材１５が載置可能とされる。各受け板１４ｄには、フレーム１６がねじ止めされている。
【００２９】
光学部材１５は、図２に示すように、液晶パネル１１及びシャーシ１４と同様に平面に視て横長の方形状をなしている。光学部材１５は、図４及び図５に示すように、その外縁部が受け板１４ｄに載せられることで、シャーシ１４の光出射部１４ｂを覆うとともに、液晶パネル１１とＬＥＤ１７との間に介在して配される。光学部材１５は、ＬＥＤ１７に対して表側、つまり光出射側に所定の間隔を空けて対向状をなしている。光学部材１５は、裏側（ＬＥＤ１７側、光出射側とは反対側）に配される拡散板１５ａと、表側（液晶パネル１１側、光出射側）に配される光学シート１５ｂとから構成される。拡散板１５ａは、所定の厚みを持つほぼ透明な樹脂製の基材内に拡散粒子を多数分散して設けた構成とされ、透過する光を拡散させる機能を有する。光学シート１５ｂは、拡散板１５ａと比べると板厚が薄いシート状をなしており、２枚が積層して配されている。具体的な光学シート１５ｂの種類としては、例えば拡散シート、レンズシート、反射型偏光シートなどがあり、これらの中から適宜に選択して使用することが可能である。
【００３０】
フレーム１６は、図２に示すように、液晶パネル１１及び光学部材１５の外周縁部に沿う枠状をなしている。このフレーム１６と各受け板１４ｄとの間で光学部材１５における外縁部を挟持可能とされている（図４及び図５）。また、このフレーム１６は、液晶パネル１１における外縁部を裏側から受けることができ、表側に配されるベゼル１３との間で液晶パネル１１の外縁部を挟持可能とされる（図４及び図５）。
【００３１】
次に、ＬＥＤ１７及びＬＥＤ１７が実装されるＬＥＤ基板１８について説明する。ＬＥＤ１７は、ＬＥＤ基板１８上に表面実装されるとともにその発光面１７ａがＬＥＤ基板１８側とは反対側を向いた、いわゆる頂面発光型とされており、その光軸がＺ軸方向、つまり液晶パネル１１の表示面（光学部材１５の板面）と直交する方向と一致している。なお、ＬＥＤ１７の詳しい構成及びその配光分布に関しては後に詳しく説明する。また、ここで言う「光軸」とは、ＬＥＤ１７における発光光のうち、発光強度が最も高い（ピークとなる）光の進行方向と一致する軸のことである。
【００３２】
ＬＥＤ基板１８は、図３から図５に示すように、縦長な方形状（矩形状、長方形状）をなしており、長辺方向がＹ軸方向と一致し、短辺方向がＸ軸方向と一致する状態でシャーシ１４内において底板１４ａに沿って延在しつつ収容されている。ＬＥＤ基板１８の基材は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。なお、ＬＥＤ基板１８の基材に用いる材料としては、セラミックなどの絶縁材料を用いることも可能である。このＬＥＤ基板１８の基材の板面のうち、表側を向いた板面（光学部材１５側を向いた板面）には、上記した構成のＬＥＤ１７が表面実装されており、ここが実装面１８ａとされる。ＬＥＤ１７は、ＬＥＤ基板１８の実装面１８ａの面内において複数ずつ行列状（マトリクス状、碁盤目状）に並列して配されるとともに、配線パターンによって相互が電気的に接続されている。具体的には、ＬＥＤ基板１８の実装面１８ａ上には、その短辺方向（Ｘ軸方向）に沿って４個（偶数個）ずつ、長辺方向（Ｙ軸方向）に沿って１２個（偶数個）ずつのＬＥＤ１７が行列状に並列配置されている。ＬＥＤ基板１８における各ＬＥＤ１７の配列ピッチは、ほぼ一定とされ、詳しくはＸ軸方向（行方向）及びＹ軸方向（列方向）についてそれぞれほぼ等間隔に配列されている。
【００３３】
上記した構成のＬＥＤ基板１８は、図３に示すように、シャーシ１４内においてＸ軸方向に沿って複数枚が互いに長辺方向及び短辺方向を揃えた状態で並列して配置されている。具体的には、ＬＥＤ基板１８は、シャーシ１４内においてＸ軸方向に沿って５枚並んで配されており、その並び方向がＸ軸方向と一致している。Ｘ軸方向に並ぶＬＥＤ基板１８の配列ピッチは、ほぼ一定となっており、隣り合うＬＥＤ基板１８においてＸ軸方向について端寄りに配されるとともに互いに隣り合うＬＥＤ１７の配列ピッチが、各ＬＥＤ基板１８におけるＬＥＤ１７の配列ピッチと概ね同じ程度となるように設定されている。つまり、シャーシ１４の底板１４ａの面内においてＬＥＤ１７は、Ｘ軸方向（行方向）及びＹ軸方向（列方向）についてそれぞれほぼ等間隔となるよう行列状に並列配置されていると言える。具体的には、ＬＥＤ１７は、シャーシ１４の底板１４ａの面内においてその長辺方向（Ｘ軸方向）に沿って２０個ずつ、短辺方向（Ｙ軸方向）に沿って１２個ずつが行列状に並列配置されている。なお、各ＬＥＤ基板１８には、図示しない配線部材が接続されるコネクタ部が設けられており、配線部材を介して図示しないＬＥＤ駆動基板（光源駆動基板）から駆動電力が供給されるようになっている。
【００３４】
反射シート１９は、合成樹脂製とされ、表面が光の反射性に優れた白色を呈するものとされる。反射シート１９は、図３から図５に示すように、シャーシ１４の内面のほぼ全域にわたって敷設される大きさを有しているので、シャーシ１４内に配されたＬＥＤ基板１８をほぼ全域にわたって表側（光出射側、光学部材１５側）から覆うことが可能とされる。この反射シート１９によりシャーシ１４内の光を表側（光出射側、光学部材１５側）に向けて反射させることができるようになっている。反射シート１９は、ＬＥＤ基板１８（底板１４ａ）に沿って延在するとともに各ＬＥＤ基板１８を一括してそのほぼ全域を覆う大きさの底部１９ａと、底部１９ａの各外端から表側に立ち上がるとともに底部１９ａに対して傾斜状をなす４つの立ち上がり部１９ｂと、各立ち上がり部１９ｂの外端から外向きに延出するとともにシャーシ１４の受け板１４ｄに載せられる延出部１９ｃとから構成されている。この反射シート１９の底部１９ａが各ＬＥＤ基板１８における表側の面、つまりＬＥＤ１７の実装面１８ａに対して表側に重なるよう配される。また、反射シート１９の底部１９ａには、各ＬＥＤ１７と平面視重畳する位置に各ＬＥＤ１７を個別に挿通するＬＥＤ挿通孔（光源挿通孔）１９ｄが開口して設けられている。このＬＥＤ挿通孔１９ｄは、各ＬＥＤ１７の配置に対応してＸ軸方向及びＹ軸方向について行列状（マトリクス状）に複数が並列配置されている。
【００３５】
ここで、ＬＥＤ１７の詳しい構成及びその配光分布について説明する。ＬＥＤ１７は、図７及び図８に示すように、発光源であるＬＥＤ素子（ＬＥＤチップ、発光素子）２０と、ＬＥＤ素子２０からの光によって励起されることで発光する蛍光体を含有する封止材（透光性樹脂材料）２１と、ＬＥＤ素子２０が封止材２１により封止された状態で実装される基板部２２とからなる。このＬＥＤ１７は、ＬＥＤ素子２０を封止する封止材２１が略半球型（ドーム型）に形成され、その封止材２１における半球状の表面である発光面１７ａから発せられる出射光が放射状に拡散されるようになっている。以下、図７及び図８を参照しつつＬＥＤ１７の構成部位について順次に詳しく説明する。なお、図７及び図８では、ＬＥＤ１７における有効発光範囲、つまり一定以上の輝度が得られる発光光の拡散角度範囲を一点鎖線により図示している。
【００３６】
ＬＥＤ素子２０は、例えばＩｎＧａＮ系の材料からなる半導体であり、順方向に電圧が印加されることで発光するものとされる。ＬＥＤ素子２０は、その発光光における主発光波長が青色の波長領域（約４２０ｎｍ〜約４８０ｎｍ）に存しており、青色光を単色発光する青色ＬＥＤ素子であると言える。ＬＥＤ素子２０の主発光波長は、４４０ｎｍ〜４６０ｎｍの範囲とされるのがより好ましく、具体的には例えば４５１ｎｍとされる。
【００３７】
封止材２１は、ほぼ透明な熱硬化性樹脂材料からなるものとされ、具体的にはエポキシ樹脂材料やシリコーン樹脂材料などからなる。封止材２１は、ＬＥＤ１７の製造工程ではＬＥＤ素子２０が実装された基板部２２上に充填されることで、ＬＥＤ素子２０を封止するとともにその保護を図るものとされる。この封止材２１には、次述する蛍光体が分散配合されており、蛍光体を保持する分散媒（バインダ）として機能する。
【００３８】
蛍光体は、ＬＥＤ素子２０からの光（青色光）によって励起されることで、所定の波長領域に存する光を発光するものであり、本実施形態に係るＬＥＤ１７においては蛍光体として発光光（蛍光）における主発光波長が互いに異なる２種類のもの（次述する第１の蛍光体及び第２の蛍光体）が用いられている。具体的には、第１の蛍光体は、ＬＥＤ素子２０からの光に励起されることで、主発光波長が緑色の波長領域（約５００ｎｍ〜約５７０ｎｍ）に存する光を発する緑色蛍光体とされる。第２の蛍光体は、ＬＥＤ素子２０からの光に励起されることで、主発光波長が赤色の波長領域（約６００ｎｍ〜約７８０ｎｍ）に存する光を発する赤色蛍光体とされる。具体的には、緑色蛍光体（第１の蛍光体）としては、サイアロン系蛍光体の一種であるβ−ＳｉＡｌＯＮを用いるのが好ましく、また赤色蛍光体（第２の蛍光体）としては、カズン系蛍光体の一種であるカズンを用いるのが好ましい。なお、β−ＳｉＡｌＯＮは、その発光光の主発光波長が例えば約５４０ｎｍ程度とされるのに対し、カズンは、その発光光の主発光波長が例えば約６５０ｎｍ程度とされる。
【００３９】
従って、このＬＥＤ１７は、ＬＥＤ素子２０から発せられる青色光（青色成分の光）と、第１の蛍光体である緑色蛍光体から発せられる緑色光（緑色成分の光）と、第２の蛍光体である赤色蛍光体から発せられる赤色光（赤色成分の光）とにより、全体として概ね白色の光を発することが可能とされている。このような構成によれば、仮に蛍光体として、緑色蛍光体及び赤色蛍光体に代えて黄色光を発する黄色蛍光体を用いることで、白色光を発する構成とした場合に比べると、緑色光及び赤色光における発光強度を高くすることができ、もって出射光における演色性の点で優れる。このＬＥＤ１７における出射光の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ１７における出射光の色度を調整することが可能とされる。
【００４０】
基板部２２は、表面が光の反射性に優れた白色を呈するセラミック材料または合成樹脂材料（例えばポリアミド系樹脂材料）からなる。基板部２２は、ＬＥＤ基板１８における実装面１８ａに並行する板状をなしており、ＬＥＤ素子２０が実装される面側とは反対側の板面がＬＥＤ基板１８の実装面１８ａに取り付けられている。基板部２２は、平面に視て略正方形状をなしている（図６を参照）。そして、この基板部２２上には、ＬＥＤ素子２０が複数、具体的には２つが所定の間隔を空けて並んで配されている。２つのＬＥＤ素子２０は、共に基板部２２の板面における中心から外れた位置（偏心した位置）にそれぞれ配されており、詳しくは平面に視て基板部２２の中心を通る直線上に配されるとともに、基板部２２の中心に関して点対称状の配置とされる。
【００４１】
続いて、ＬＥＤ１７の配光分布について図９を用いて説明する。図９では、横軸をＬＥＤ１７の光軸（正面方向）に対する角度（単位は「度」）とし、縦軸を発光強度（任意単位）としている。また、「発光強度」の具体的な単位は、例えば、放射輝度（Ｗ／ｓｒ・ｍ２）、放射束（Ｗ）、放射照度（Ｗ／ｍ２）などとすることができ、それ以外の放射量に関する物理量とすることも可能である。なお、図９における実線は、ＬＥＤ１７を、ＬＥＤ素子２０の並び方向（広角方向、Ｙ軸方向）に沿って切断した断面に関する配光分布であるのに対し、図９における破線は、ＬＥＤ１７を、ＬＥＤ素子２０の並び方向と直交する方向（狭角方向、Ｘ軸方向）に沿って切断した断面に関する配光分布である。このＬＥＤ１７の配光分布は、図９に示すように、上記したＬＥＤ素子２０の配置に起因して異方性を有している。すなわち、ＬＥＤ１７の発光光のうち、２つのＬＥＤ素子２０の並び方向に沿って進行する光は、図９の実線に示すように、他の方向に沿って進行する光に比べて有効発光範囲、つまり一定以上の輝度が得られる発光光の拡散角度範囲が最も広くなっている。この有効発光範囲（拡散角度範囲）が最も広くなる光の進行方向が、広角方向とされており、ＬＥＤ素子２０の並び方向と一致している。ＬＥＤ１７の配光分布は、広角方向について略対称状をなしている。一方、ＬＥＤ１７の発光光のうち、２つのＬＥＤ素子２０の並び方向と直交する方向に沿って進行する光は、図９の破線に示すように、他の方向に沿って進行する光に比べて有効発光範囲、つまり一定以上の輝度が得られる発光光の拡散角度範囲が最も狭くなっている。この有効発光範囲（拡散角度範囲）が最も狭くなる光の進行方向が、狭角方向とされており、ＬＥＤ素子２０の並び方向と直交する方向と一致している。ＬＥＤ１７の配光分布は、狭角方向について略対称状をなしている。ＬＥＤ１７の配光分布における広角方向と狭角方向とは、互いに直交する関係にある。
【００４２】
上記のように配光分布に異方性を有するＬＥＤ１７をバックライト装置１２に用いるに際して、本実施形態では、ＬＥＤ１７を次のような配置としている。すなわち、シャーシ１４内において隣り合う形で配される複数のＬＥＤ１７は、図６から図８に示すように、相互の配光分布が補完し合うよう相補的に配置されている。具体的には、シャーシ１４内に配されるＬＥＤ１７には、狭角方向及び広角方向を含む配光分布を有する第１のＬＥＤ１７Ａと、第１のＬＥＤ１７Ａに隣り合う形で配されるとともに狭角方向及び広角方向を含む配光分布を有し且つその配光分布における狭角方向及び広角方向が、第１のＬＥＤ１７Ａに係る配光分布における狭角方向及び広角方向に対してそれぞれ交差するよう配された第２のＬＥＤ１７Ｂとが含まれている。言い換えると、シャーシ１４内に配されるＬＥＤ１７には、２つ並ぶＬＥＤ素子２０Ａを有する第１のＬＥＤ１７Ａと、第１のＬＥＤ１７Ａに隣り合う形で配されるとともに２つ並ぶＬＥＤ素子２０Ｂを有し且つそのＬＥＤ素子２０Ｂの並び方向が、第１のＬＥＤ１７Ａに係るＬＥＤ素子２０Ａの並び方向と交差するよう配される第２のＬＥＤ１７Ｂとが含まれている。なお、以下ではＬＥＤを区別する場合には、第１のＬＥＤに関する符号に添え字Ａを、第２のＬＥＤに関する符号に添え字Ｂを付し、区別せずに総称する場合には、符号に添え字を付さないものとする。
【００４３】
より詳しくは、第２のＬＥＤ１７Ｂは、図６から図８に示すように、その配光分布における広角方向、つまりＬＥＤ素子２０Ｂの並び方向が、第１のＬＥＤ１７Ａに係る配光分布における狭角方向、つまりＬＥＤ素子２０Ａの並び方向と直交する方向に並行し、狭角方向（ＬＥＤ素子２０Ｂの並び方向と直交する方向）が第１のＬＥＤ１７Ａに係る配光分布における広角方向（ＬＥＤ素子２０Ａの並び方向）に並行するようシャーシ１４の底板１４ａの板面内において配置されている。つまり、第１のＬＥＤ１７Ａ及び第２のＬＥＤ１７Ｂは、互いの配光分布における広角方向（ＬＥＤ素子２０Ａ，２０Ｂの並び方向）同士が直交するとともに、狭角方向（ＬＥＤ素子２０Ａ，２０Ｂの並び方向と直交する方向）同士が直交する関係にある。なお、本実施形態では、第１のＬＥＤ１７Ａに係る配光分布における広角方向（ＬＥＤ素子２０Ａの並び方向）がＸ軸方向と一致し、狭角方向（ＬＥＤ素子２０Ａの並び方向と直交する方向）がＹ軸方向と一致しているのに対し、第２のＬＥＤ１７Ｂに係る配光分布における広角方向（ＬＥＤ素子２０Ｂの並び方向）がＹ軸方向と一致し、狭角方向（ＬＥＤ素子２０Ｂの並び方向と直交する方向）がＸ軸方向と一致している。
【００４４】
そして、第１のＬＥＤ１７Ａ及び第２のＬＥＤ１７Ｂは、図６に示すように、シャーシ１４の底板１４ａの板面内において複数ずつ交互に行列状に並列して配されている。すなわち、シャーシ１４内において行列配置された第１のＬＥＤ１７Ａ及び第２のＬＥＤ１７Ｂは、行方向であるＸ軸方向について複数ずつ交互に繰り返して並ぶ配列とされるとともに、列方向であるＹ軸方向について複数ずつ交互に繰り返して並ぶ配列とされる。従って、シャーシ１４内において行方向であるＸ軸方向について隣り合う任意の２つのＬＥＤ１７は、一方が第１のＬＥＤ１７Ａとされ、他方が第２のＬＥＤ１７Ｂとされているのに対し、列方向であるＹ軸方向について隣り合う任意の２つのＬＥＤ１７は、一方が第１のＬＥＤ１７Ａとされ、他方が第２のＬＥＤ１７Ｂとされている。言い換えると、第１のＬＥＤ１７Ａは、第２のＬＥＤ１７Ｂに対して、第２のＬＥＤ１７Ｂに係る配光分布における広角方向（Ｙ軸方向）に沿って隣り合う位置と、第２のＬＥＤ１７Ｂに係る配光分布における狭角方向（Ｘ軸方向）に沿って隣り合う位置とにそれぞれ配されているのに対し、第２のＬＥＤ１７Ｂは、第１のＬＥＤ１７Ａに対して、第１のＬＥＤ１７Ａに係る配光分布における広角方向（Ｘ軸方向）に沿って隣り合う位置と、第１のＬＥＤ１７Ａに係る配光分布における狭角方向（Ｙ軸方向）に沿って隣り合う位置とにそれぞれ配されている。さらに別言すると、第１のＬＥＤ１７Ａは、第２のＬＥＤ１７Ｂに対して、第２のＬＥＤ１７Ｂが有するＬＥＤ素子２０Ｂの並び方向（Ｙ軸方向）に沿って隣り合う位置と、第２のＬＥＤ１７Ｂが有するＬＥＤ素子２０Ｂの並び方向と直交する方向（Ｘ軸方向）に沿って隣り合う位置とにそれぞれ配されているのに対し、第２のＬＥＤ１７Ｂは、第１のＬＥＤ１７Ａに対して、第１のＬＥＤ１７Ａが有するＬＥＤ素子２０Ａの並び方向（Ｘ軸方向）に沿って隣り合う位置と、第１のＬＥＤ１７Ａが有するＬＥＤ素子２０Ａの並び方向と直交する方向（Ｙ軸方向）に沿って隣り合う位置とにそれぞれ配されている。このように、第１のＬＥＤ１７Ａは、行方向または列方向に沿って２つ以上連続して並ぶことがない配置とされ、同様に、第２のＬＥＤ１７Ｂは、行方向（Ｘ軸方向）または列方向（Ｙ軸方向）に沿って２つ以上連続して並ぶことがない配置とされる。なお、第１のＬＥＤ１７Ａ及び第２のＬＥＤ１７Ｂは、行方向及び列方向の双方に対する斜め方向に沿って同じものが連続して並ぶ配置とされている。
【００４５】
上記した第１のＬＥＤ１７Ａ及び第２のＬＥＤ１７Ｂは、図６に示すように、シャーシ１４内における姿勢（向き、ＬＥＤ素子２０の並び方向）が異なるものの、部材としては同一で共通化されている。つまり、ＬＥＤ１７を製造する工程では、１種類のみを製造し、ＬＥＤ基板１８に実装する工程で、その実装面１８ａの面内において隣り合うもの同士の姿勢を上記したように異ならせるようにすればよい。これにより、ＬＥＤ１７に係る製造コストの低減を図ることができる。なお、第１のＬＥＤ１７Ａ及び第２のＬＥＤ１７Ｂは、ＬＥＤ素子２０及び配光分布が共通化されている、と言える。それに加えて、シャーシ１４内に収容される複数（５枚）のＬＥＤ基板１８は、シャーシ１４内における姿勢（向き）が同一とされるとともに、部材としても同一で共通化されている。つまり、全てのＬＥＤ基板１８は、第１のＬＥＤ１７Ａ及び第２のＬＥＤ１７Ｂの配列が共通化されている。これにより、ＬＥＤ基板１８の品種を１種類とすることができるから、ＬＥＤ基板１８に係る製造コストの低減を図ることができる。その上で、第１のＬＥＤ１７Ａ及び第２のＬＥＤ１７Ｂは、各ＬＥＤ基板１８において、ＬＥＤ基板１８の並び方向であるＸ軸方向に沿って偶数ずつ交互に並んで配されている。従って、シャーシ１４内において隣り合う２枚のＬＥＤ基板１８のうち、一方のＬＥＤ基板１８における他方のＬＥＤ基板１８寄りの端位置に配された第１のＬＥＤ１７Ａまたは第２のＬＥＤ１７Ｂには、他方のＬＥＤ基板１８における一方のＬＥＤ基板１８寄りの端位置に配された第２のＬＥＤ１７Ｂまたは第１のＬＥＤ１７Ａが隣り合うことになる。これにより、ＬＥＤ基板１８を全て共通部材化しつつも、シャーシ１４内において第１のＬＥＤ１７Ａと第２のＬＥＤ１７Ｂとを交互に行列状に並列配置することができ、コスト削減効果と配光分布の補完効果とを共に得ることができる。
【００４６】
本実施形態は以上のような構造であり、続いてその作用を説明する。液晶表示装置１０を使用するにあたってバックライト装置１２の各ＬＥＤ１７を点灯させると、各ＬＥＤ１７から発せられた光は、図４及び図５に示すように、光学部材１５に対して直接的に、または反射シート１９などにて反射されてから間接的に入射し、光学部材１５を透過した後、液晶パネル１１へ向けて出射される。
【００４７】
ここで、個々のＬＥＤ１７は、ＬＥＤ素子２０の配置に起因して配光分布に異方性を有しており、その発光光における有効発光範囲、つまり一定以上の輝度が得られる拡散角度範囲が広角方向では最も広いものの、そこから狭角方向に近づくに連れて次第に狭くなり、狭角方向では最も狭くなっている（図９を参照）。仮に、シャーシ１４内に行列配置したＬＥＤ１７の姿勢（ＬＥＤ素子２０の並び方向）を全て同一とした場合には、全てのＬＥＤ１７の配光分布における広角方向と狭角方向とが揃えられることになるため、狭角方向に向かって進行する光による光学部材１５の照射範囲に偏りが生じ易くなり、それに起因してバックライト装置１２の出射光に輝度ムラが生じるおそれがある。その点、本実施形態では、シャーシ１４内にＬＥＤ１７が、第１のＬＥＤ１７Ａと、第１のＬＥＤ１７Ａに隣り合い且つ配光分布が第１のＬＥＤ１７Ａに係る配光分布を補完するよう相補的に配される第２のＬＥＤ１７Ｂとを含んでいるから、第１のＬＥＤ１７Ａ及び第２のＬＥＤ１７Ｂからの発光光によって相互の配光分布が補完され、それによりバックライト装置１２の出射光に係る配光分布が等方化される。もって、出射光に輝度ムラが生じ難くなる。
【００４８】
より具体的には、第１のＬＥＤ１７Ａから発せられた光のうち、その配光分布における広角方向（Ｘ軸方向、ＬＥＤ素子２０Ａの並び方向）に向かう光は、図７に示すように、Ｘ軸方向に隣り合う第２のＬＥＤ１７Ｂに係る配光分布における狭角方向に並行して進行することになるので、その光によって第２のＬＥＤ１７Ｂに係る配光分布において狭くなりがちな狭角方向についての有効発光範囲（拡散角度範囲）が補われて拡張が図られる。これにより、第２のＬＥＤ１７Ｂに係る配光分布が、Ｘ軸方向について隣り合う第１のＬＥＤ１７Ａからの発光光によって補完される。一方、第２のＬＥＤ１７Ｂから発せられた光のうち、その配光分布における広角方向（Ｙ軸方向、ＬＥＤ素子２０Ｂの並び方向）に向かう光は、図８に示すように、Ｙ軸方向に隣り合う第１のＬＥＤ１７Ａに係る配光分布における狭角方向に並行して進行することになるので、その光によって第１のＬＥＤ１７Ａに係る配光分布において狭くなりがちな狭角方向についての有効発光範囲（拡散角度範囲）が補われて拡張が図られる。これにより、第１のＬＥＤ１７Ａに係る配光分布が、Ｙ軸方向について隣り合う第２のＬＥＤ１７Ｂからの発光光によって補完される。そして、第１のＬＥＤ１７Ａ及び第２のＬＥＤ１７Ｂは、シャーシ１４内において交互に行列状に繰り返して並列配置されているから、行方向（Ｘ軸方向）及び列方向（Ｙ軸方向）について隣り合うＬＥＤ１７における相互の配光分布が補完され合うことになり、それによりバックライト装置１２からの出射光に係る配光分布が良好に等方化され、輝度ムラの抑制に一層好適とされている。
【００４９】
以上説明したように本実施形態のバックライト装置（照明装置）１２は、光を出射させる光出射部１４ｂを有するシャーシ１４と、シャーシ１４内に収容され、光出射部１４ｂに向けて発せられる光の配光分布に異方性を有する第１のＬＥＤ（第１の光源）１７Ａと、第１のＬＥＤ１７Ａに隣り合う形でシャーシ１４内に収容され、光出射部１４ｂに向けて発せられる光の配光分布に異方性を有するとともに、その配光分布が第１のＬＥＤ１７Ａに係る配光分布を補完するよう相補的に配される第１のＬＥＤ（第２の光源）１７Ｂと、を備える。
【００５０】
このようにすれば、シャーシ１４内に収容された第１のＬＥＤ１７Ａ及び第２のＬＥＤ１７Ｂから発せられた光は、シャーシ１４の光出射部１４ｂから外部へと出射される。これら第１のＬＥＤ１７Ａ及び第２のＬＥＤ１７Ｂは、それぞれの配光分布に異方性を有しているものの、シャーシ１４内においてそれらの配光分布が相互に補完し合うよう相補的に配されているので、光出射部１４ｂからの出射光に係る配光分布を等方化することができる。これにより、出射光に輝度ムラが生じ難くすることができる。
【００５１】
また、第１のＬＥＤ１７Ａは、配光分布に光の拡散範囲が相対的に広い広角方向と、光の拡散範囲が相対的に狭く且つ広角方向と交差する狭角方向とが含まれているのに対し、第２のＬＥＤ１７Ｂは、その配光分布に光の拡散範囲が相対的に広い広角方向と、光の拡散範囲が相対的に狭く且つ広角方向と交差する狭角方向とが含まれるとともに、その配光分布における広角方向が第１のＬＥＤ１７Ａに係る配光分布における狭角方向に並行し、且つその配光分布における狭角方向が第１のＬＥＤ１７Ａに係る配光分布における広角方向に並行するよう配されている。このようにすれば、第２のＬＥＤ１７Ｂから発せられた光のうち、広角方向に拡散される光は、第１のＬＥＤ１７Ａに係る配光分布における狭角方向に並行して進行することで、第１のＬＥＤ１７Ａに係る配光分布が補完される。同様に、第１のＬＥＤ１７Ａから発せられた光のうち、広角方向に拡散される光は、第２のＬＥＤ１７Ｂに係る配光分布における狭角方向に並行して進行することで、第２のＬＥＤ１７Ｂに係る配光分布が補完される。以上により、第１のＬＥＤ１７Ａ及び第２のＬＥＤ１７Ｂは、相互の配光分布が補完され、もって光出射部１４ｂからの出射光に輝度ムラが生じ難くなる。
【００５２】
また、第１のＬＥＤ１７Ａは、その配光分布における広角方向と狭角方向とが互いに直交する関係とされているのに対し、第２のＬＥＤ１７Ｂは、その配光分布における広角方向と狭角方向とが互いに直交する関係とされるとともに、第１のＬＥＤ１７Ａに対して、第１のＬＥＤ１７Ａに係る配光分布における広角方向に沿って隣り合う位置と、第１のＬＥＤ１７Ａに係る配光分布における狭角方向に沿って隣り合う位置とにそれぞれ配されている。このようにすれば、第１のＬＥＤ１７Ａから発せられた光のうち、広角方向に拡散される光によって、第１のＬＥＤ１７Ａに対してその配光分布における広角方向に沿って隣り合う位置に配された第２のＬＥＤ１７Ｂに係る配光分布が補完される。一方、第１のＬＥＤ１７Ａに対してその配光分布における狭角方向に沿って隣り合う位置に配された第２のＬＥＤ１７Ｂから発せられた光のうち、広角方向に拡散される光によって、第１のＬＥＤ１７Ａに係る配光分布が補完される。以上により、第１のＬＥＤ１７Ａと、第１のＬＥＤ１７Ａに対して隣り合って配される各第２のＬＥＤ１７Ｂとは、相互の配光分布が補完される。
【００５３】
また、第１のＬＥＤ１７Ａ及び第２のＬＥＤ１７Ｂは、それぞれの配光分布が広角方向及び狭角方向についてそれぞれ略対称状をなしている。このようにすれば、第１のＬＥＤ１７Ａ及び第２のＬＥＤ１７Ｂの各配光分布に基づいて、第１のＬＥＤ１７Ａ及び第２のＬＥＤ１７Ｂの配置を容易に定めることができるとともに、相互の配光分布を良好に補完することができる。
【００５４】
また、第１のＬＥＤ１７Ａ及び第２のＬＥＤ１７Ｂは、それぞれＬＥＤ素子（発光素子）２０を複数ずつ有しており、第２のＬＥＤ１７Ｂは、その複数のＬＥＤ素子２０Ｂの並び方向が、第１のＬＥＤ１７Ａにおける複数のＬＥＤ素子２０Ａの並び方向に対して交差するよう配されている。このようにすれば、第１のＬＥＤ１７Ａ及び第２のＬＥＤ１７ＢがそれぞれＬＥＤ素子２０を複数ずつ有しているから、各ＬＥＤ１７Ａ，１７Ｂにおいて発光効率が高くなるとともに放熱設計が容易なものとなる。そして、第１のＬＥＤ１７Ａ及び第２のＬＥＤ１７Ｂから発せられた光のうち、ＬＥＤ素子２０の並び方向に沿って進行する光の拡散範囲が最も広くなるため、第１のＬＥＤ１７Ａ及び第２のＬＥＤ１７Ｂの配光分布に異方性が存在している。これに対し、第１のＬＥＤ１７Ａが有する複数のＬＥＤ素子２０Ａの並び方向と、第２のＬＥＤ１７Ｂが有する複数のＬＥＤ素子２０Ｂの並び方向とを交差する関係とすることで、第１のＬＥＤ１７Ａ及び第２のＬＥＤ１７Ｂにおける相互の配光分布が補完され、それにより出射光の輝度ムラを緩和することができる。
【００５５】
また、第２のＬＥＤ１７Ｂは、その複数のＬＥＤ素子２０Ｂの並び方向が、第１のＬＥＤ１７Ａにおける複数のＬＥＤ素子２０Ａの並び方向に対して直交するよう配されるとともに、第１のＬＥＤ１７Ａに対して、第１のＬＥＤ１７Ａにおける複数のＬＥＤ素子２０Ａの並び方向に沿って隣り合う位置と、第２のＬＥＤ１７Ｂにおける複数のＬＥＤ素子２０Ｂの並び方向に沿って隣り合う位置とにそれぞれ配されている。このようにすれば、第１のＬＥＤ１７Ａから発せられた光のうち、その複数のＬＥＤ素子２０Ａの並び方向に拡散される光によって、第１のＬＥＤ１７Ａに対してその複数のＬＥＤ素子２０Ａの並び方向に沿って隣り合う位置に配された第２のＬＥＤ１７Ｂに係る配光分布が補完される。一方、第１のＬＥＤ１７Ａに対して、第２のＬＥＤ１７Ｂにおける複数のＬＥＤ素子２０Ｂの並び方向に沿って隣り合う位置に配された第２のＬＥＤ１７Ｂから発せられた光のうち、その複数のＬＥＤ素子２０Ｂの並び方向に拡散される光によって、第１のＬＥＤ１７Ａに係る配光分布が補完される。以上により、第１のＬＥＤ１７Ａと、第１のＬＥＤ１７Ａに対して隣り合って配される各第２のＬＥＤ１７Ｂとは、相互の配光分布が補完される。
【００５６】
また、第１のＬＥＤ１７Ａ及び第２のＬＥＤ１７Ｂは、それぞれにおける複数のＬＥＤ素子２０が略同一とされる。このようにすれば、第１のＬＥＤ１７Ａ及び第２のＬＥＤ１７Ｂを部材として共通化することができるから、第１のＬＥＤ１７Ａ及び第２のＬＥＤ１７Ｂに係る製造コストを低減させることができる。
【００５７】
また、シャーシ１４は、光出射部１４ｂとは反対側に配される底板１４ａを有しており、第１のＬＥＤ１７Ａ及び第２のＬＥＤ１７Ｂは、底板１４ａの板面内において複数ずつ交互に並んで配されている。このようにすれば、仮に第１のＬＥＤ１７Ａまたは第２のＬＥＤ１７Ｂを底板１４ａの板面内において複数連続的に並べて配した場合に比べると、光出射部１４ｂからの出射光により輝度ムラが生じ難くなる。また、当該バックライト装置１２の大型化を図る上で好適になる。
【００５８】
また、シャーシ１４は、光出射部１４ｂとは反対側に配される底板１４ａを有しており、第１のＬＥＤ１７Ａ及び第２のＬＥＤ１７Ｂは、底板１４ａの板面内において複数ずつ交互に行列状に並んで配されている。このようにすれば、仮に第１のＬＥＤ１７Ａまたは第２のＬＥＤ１７Ｂを底板１４ａの板面内において複数ずつ行列状に連続的に並べて配した場合に比べると、光出射部１４ｂからの出射光に一層輝度ムラが生じ難くなる。また、当該バックライト装置１２の大型化を図る上で一層好適になる。
【００５９】
また、第１のＬＥＤ１７Ａ及び第２のＬＥＤ１７Ｂは、それぞれの配光分布が略同一とされる。このようにすれば、第１のＬＥＤ１７Ａ及び第２のＬＥＤ１７Ｂを部材として共通化することができるから、第１のＬＥＤ１７Ａ及び第２のＬＥＤ１７Ｂに係る製造コストを低減させることができる。
【００６０】
また、第１のＬＥＤ１７Ａ及び第２のＬＥＤ１７Ｂが実装されるとともに、複数がシャーシ１４内において隣り合う形で収容されるＬＥＤ基板（光源基板）１８が備えられており、複数のＬＥＤ基板１８は、第１のＬＥＤ１７Ａ及び第２のＬＥＤ１７Ｂの配置が同一とされている。このようにすれば、複数のＬＥＤ基板１８を部材として共通化することができるから、ＬＥＤ基板１８に係る製造コストを低減させることができる。
【００６１】
また、ＬＥＤ基板１８には、第１のＬＥＤ１７Ａ及び第２のＬＥＤ１７Ｂが、シャーシ１４内におけるＬＥＤ基板１８の並び方向に沿って偶数ずつ交互に並んで配されている。このようにすれば、シャーシ１４内において互いに隣り合うＬＥＤ基板１８のうち、一方のＬＥＤ基板１８における他方のＬＥＤ基板１８寄りに配された第１のＬＥＤ１７Ａまたは第２のＬＥＤ１７Ｂには、他方のＬＥＤ基板１８における一方のＬＥＤ基板１８寄りに配された第２のＬＥＤ１７Ｂまたは第１のＬＥＤ１７Ａが隣り合うことになる。これにより、隣り合うＬＥＤ基板１８間においても、第１のＬＥＤ１７Ａ及び第２のＬＥＤ１７Ｂにおける配光分布が相互に補完され、もって光出射部１４ｂからの出射光に一層輝度ムラが生じ難くなる。
【００６２】
＜実施形態２＞
本発明の実施形態２を図１０から図１２によって説明する。この実施形態２では、ＬＥＤ１１７におけるＬＥＤ素子１２０を変更したものを示す。なお、上記した実施形態１と同様の構造、作用及び効果について重複する説明は省略する。
【００６３】
本実施形態に係るＬＥＤ１１７は、図１０から図１２に示すように、平面に視て細長い長手の方形状をなすＬＥＤ素子１２０を１つ有している。このようなＬＥＤ素子１２０を発光源とするＬＥＤ１１７は、その配光分布に異方性を有しており、有効発光範囲（拡散角度範囲）が最も広い広角方向がＬＥＤ素子１２０の長さ方向と一致し、有効発光範囲が最も狭い狭角方向がＬＥＤ素子１２０の幅方向と一致している。なお、このＬＥＤ１１７の配光分布は、上記した実施形態１に記載したＬＥＤ１７と概ね同様である（図９を参照）。そして、第２のＬＥＤ１１７Ｂは、その配光分布における広角方向、つまりＬＥＤ素子１２０Ｂの長さ方向が、第１のＬＥＤ１１７Ａに係る配光分布における狭角方向、つまりＬＥＤ素子１２０Ａの幅方向に並行し、狭角方向（ＬＥＤ素子１２０Ｂの幅方向）が第１のＬＥＤ１１７Ａに係る配光分布における広角方向（ＬＥＤ素子１２０Ａの長さ方向）に並行するようシャーシ１１４の底板１１４ａの板面内において配置されている。なお、本実施形態では、第１のＬＥＤ１１７Ａに係る配光分布における広角方向（ＬＥＤ素子１２０Ａの長さ方向）がＸ軸方向と一致し、狭角方向（ＬＥＤ素子１２０Ａの幅方向）がＹ軸方向と一致しているのに対し、第２のＬＥＤ１１７Ｂに係る配光分布における広角方向（ＬＥＤ素子１２０Ｂの長さ方向）がＹ軸方向と一致し、狭角方向（ＬＥＤ素子１２０Ｂの幅方向）がＸ軸方向と一致している。また、第１のＬＥＤ１１７Ａ及び第２のＬＥＤ１１７Ｂは、シャーシ１１４の底板１１４ａの板面内において複数ずつ交互に行列状に並列して配されている。すなわち、シャーシ１１４内において行列配置された第１のＬＥＤ１１７Ａ及び第２のＬＥＤ１１７Ｂは、行方向であるＸ軸方向について複数ずつ交互に繰り返して並ぶ配列とされるとともに、列方向であるＹ軸方向について複数ずつ交互に繰り返して並ぶ配列とされる。
【００６４】
＜実施形態３＞
本発明の実施形態３を図１３によって説明する。この実施形態３では、ＬＥＤ２１７におけるＬＥＤ素子２２０を変更したものを示す。なお、上記した実施形態１と同様の構造、作用及び効果について重複する説明は省略する。
【００６５】
本実施形態に係るＬＥＤ２１７は、図１３に示すように、３つのＬＥＤ素子２２０を有している。３つのＬＥＤ素子２２０は、ＬＥＤ２１７における中心位置と、中心位置に配されたものを挟み込む両側位置とに配されており、全てＬＥＤ２１７の中心を通る直線上に配されるとともに、同中心に関して点対称状の配置とされる。これら３つのＬＥＤ素子２２０は、全て同一の部材とされ、いずれも青色発光タイプとされる。このようなＬＥＤ素子２２０を発光源とするＬＥＤ２１７は、その配光分布に異方性を有しており、有効発光範囲（拡散角度範囲）が最も広い広角方向が３つのＬＥＤ素子２２０の並び方向と一致し、有効発光範囲が最も狭い狭角方向が３つのＬＥＤ素子２２０の並び方向と直交する方向と一致している。なお、このＬＥＤ２１７の配光分布は、上記した実施形態１に記載したＬＥＤ１７と概ね同様である（図９を参照）。また、第１のＬＥＤ２１７Ａ及び第２のＬＥＤ２１７Ｂの配置は、上記した実施形態１と同様である。
【００６６】
＜実施形態４＞
本発明の実施形態４を図１４及び図１５によって説明する。この実施形態４では、ＬＥＤ基板３１８を変更したものを示す。なお、上記した実施形態１と同様の構造、作用及び効果について重複する説明は省略する。
【００６７】
本実施形態に係るＬＥＤ基板３１８は、図１４及び図１５に示すように、平面に視て方形状（正方形状）をなすとともに行列状に配された４つのＬＥＤ３１７が実装されている。詳しくは、ＬＥＤ基板３１８には、ＬＥＤ３１７がＸ軸方向に沿って２個ずつ、Ｙ軸方向に沿って２個ずつ行列状に配置されている。ＬＥＤ基板３１８に実装された４つのＬＥＤ３１７には、２つの第１のＬＥＤ３１７Ａと、２つの第２のＬＥＤ３１７Ｂとが含まれており、第１のＬＥＤ３１７Ａ及び第２のＬＥＤ３１７ＢがＸ軸方向及びＹ軸方向について互いに隣り合う形で配されている。このような構成のＬＥＤ基板３１８は、シャーシ３１４内において行列状に複数ずつ並列して配されている。具体的には、ＬＥＤ基板３１８は、シャーシ３１４内においてＸ軸方向（行方向）に１０枚ずつ、Ｙ軸方向（列方向）に６枚ずつ、合計６０枚が行列状に並列して配置されている。また、全てのＬＥＤ基板３１８は、ＬＥＤ３１７の配置が同一とされていて同一の部材とされている。なお、本実施形態では、隣り合うＬＥＤ基板３１８同士を図示しないコネクタなどの接続部材により電気的に接続することで、各ＬＥＤ基板３１８への駆動電力の供給を図るようにするのが好ましい。
【００６８】
＜実施形態５＞
本発明の実施形態５を図１６によって説明する。この実施形態５では、ＬＥＤ基板４１８を変更したものを示す。なお、上記した実施形態１と同様の構造、作用及び効果について重複する説明は省略する。
【００６９】
本実施形態に係るＬＥＤ基板４１８は、図１６に示すように、平面に視て横長な方形状（短冊状）をなすとともにその長さ方向に沿ってＬＥＤ４１７が直線的に並んで配される構成とされる。このＬＥＤ基板４１８は、シャーシ４１４内においてＸ軸方向及びＹ軸方向にそれぞれ複数ずつ、互いに長さ方向及び幅方向を揃えた状態で並列して配置されている。つまり、ＬＥＤ基板４１８は、シャーシ４１４内においてＸ軸方向を行方向とし、Ｙ軸方向を列方向として行列状に配置されている。具体的には、ＬＥＤ基板４１８は、シャーシ４１４内においてＸ軸方向（行方向）に３枚ずつ、Ｙ軸方向（列方向）に９枚ずつ、合計２７枚が行列状に並列して配置されている。なお、本実施形態では、Ｘ軸方向について隣り合うＬＥＤ基板４１８同士をコネクタ２３により電気的に接続することで、各ＬＥＤ基板４１８への駆動電力の供給が図られている。
【００７０】
＜実施形態６＞
本発明の実施形態６を図１７によって説明する。この実施形態６では、ＬＥＤ５１７の配置を変更したものを示す。なお、上記した実施形態１と同様の構造、作用及び効果について重複する説明は省略する。
【００７１】
本実施形態に係るＬＥＤ５１７は、図１７に示すように、Ｘ軸方向及びＹ軸方向について２個ずつ連続して並ぶ第１のＬＥＤ５１７Ａと、Ｘ軸方向及びＹ軸方向について２個ずつ連続して並ぶ第２のＬＥＤ５１７Ｂとを含んでいる。つまり、シャーシ内には、行列状に並列された４個の第１のＬＥＤ５１７Ａからなる第１のＬＥＤ群（第１の光源群）２４と、行列状に並列された４個の第２のＬＥＤ５１７Ｂからなる第２のＬＥＤ群（第２の光源群）２５とが、交互に行列状に繰り返し並ぶ形で配されている。これら第１のＬＥＤ群２４及び第２のＬＥＤ群２５は、それぞれ配光分布に異方性を有するものとされている。第１のＬＥＤ群２４に係る配光分布における広角方向がＸ軸方向と一致し、狭角方向がＹ軸方向と一致しているのに対し、第２のＬＥＤ群２５に係る配光分布における広角方向がＹ軸方向と一致し、狭角方向がＸ軸方向と一致している。このような構成であっても、第１のＬＥＤ群２４及び第２のＬＥＤ群２５は、相互の配光分布が補完されることで、出射光に生じ得る輝度ムラが抑制される。
【００７２】
＜実施形態７＞
本発明の実施形態７を図１８によって説明する。この実施形態７では、上記した実施形態６からＬＥＤ基板６１８を変更したものを示す。なお、上記した実施形態６と同様の構造、作用及び効果について重複する説明は省略する。
【００７３】
本実施形態に係るＬＥＤ基板６１８は、図１８に示すように、平面に視て方形状（正方形状）をなすとともに行列状に配された４つのＬＥＤ６１７が実装されている。詳しくは、ＬＥＤ基板６１８には、ＬＥＤ６１７がＸ軸方向に沿って２個ずつ、Ｙ軸方向に沿って２個ずつ行列状に配置されている。各ＬＥＤ基板６１８に実装された４つのＬＥＤ６１７は、ＬＥＤ素子６２０の並び方向が全て同じに揃えられるとともに、第１のＬＥＤ群６２４（第１のＬＥＤ６１７Ａ）または第２のＬＥＤ群６２５（第２のＬＥＤ６１７Ｂ）を構成している。このような構成のＬＥＤ基板６１８は、シャーシ内において行列状に複数ずつ並列して配されており、第１のＬＥＤ群６２４と第２のＬＥＤ群６２５とがＸ軸方向及びＹ軸方向について互いに隣り合うよう配置されている。また、全てのＬＥＤ基板６１８は、ＬＥＤ６１７の配置が同一とされていて同一の部材とされている。
【００７４】
＜実施形態８＞
本発明の実施形態８を図１９によって説明する。この実施形態８では、ＬＥＤ７１７からの光を拡散させる拡散レンズ２６を設けるようにしたものを示す。なお、上記した実施形態１と同様の構造、作用及び効果について重複する説明は省略する。
【００７５】
本実施形態に係るＬＥＤ基板７１８には、図１９に示すように、ＬＥＤ７１７から発せられた光に拡散作用を付与して出射させる拡散レンズ２６が取り付けられている。拡散レンズ２６は、ほぼ透明で（高い透光性を有し）且つ屈折率が空気よりも高い合成樹脂材料（例えばポリカーボネートやアクリルなど）からなる。拡散レンズ２６は、所定の厚みを有するとともに、平面に視て略円形状に形成されており、ＬＥＤ基板７１８に対して各ＬＥＤ７１７を表側から個別に覆うよう、つまり平面に視て各ＬＥＤ７１７と重畳するようそれぞれ取り付けられている。そして、この拡散レンズ２６は、ＬＥＤ７１７から発せられた指向性の強い光を拡散させつつ出射させることができる。また、拡散レンズ２６は、平面に視てＬＥＤ７１７とほぼ同心となる位置に配されている。このような構成において、拡散レンズ２６からの出射光に係る配光分布に異方性が生じた場合でも、ＬＥＤ７１７の配置を上記した実施形態１のように相補的にすることで、配光分布を補完することができる。
【００７６】
＜他の実施形態＞
本発明は上記記述及び図面によって説明した実施形態に限定されるものではなく、例えば次のような実施形態も本発明の技術的範囲に含まれる。
（１）上記した各実施形態では、第２のＬＥＤに係る配光分布の広角方向（ＬＥＤ素子の並び方向）が、第１のＬＥＤに係る配光分布の広角方向と直交する配置としたものを示したが、第２のＬＥＤに係る配光分布の広角方向が、第１のＬＥＤに係る配光分布の広角方向と０度以上９０度以下の角度でもって交差する配置としたものも本発明に含まれる。
【００７７】
（２）上記した各実施形態では、各ＬＥＤに係る配光分布において、広角方向と狭角方向とが直交する関係とされた場合を示したが、各ＬＥＤに係る配光分布において、広角方向と狭角方向とが０度以上９０度以下の角度でもって交差する関係とされたものも本発明に含まれる。
【００７８】
（３）上記した各実施形態では、各ＬＥＤに係る配光分布が広角方向及び狭角方向についてそれぞれ略対称状をなすものを示したが、各ＬＥＤに係る配光分布が広角方向または狭角方向のいずれかの方向について非対称状とされるものも本発明に含まれる。また、各ＬＥＤに係る配光分布が広角方向及び狭角方向についてそれぞれ非対称状とされるものも本発明に含まれる。
【００７９】
（４）上記した各実施形態では、各ＬＥＤに係る配光分布の広角方向が、ＬＥＤ素子の並び方向またはＬＥＤ素子の長さ方向と一致するものを示したが、ＬＥＤ素子の配置などによっては、ＬＥＤに係る配光分布の広角方向が、ＬＥＤ素子の並び方向またはＬＥＤ素子の長さ方向と一致せず、交差する関係となる場合もあり、そのようなものも本発明に含まれる。
【００８０】
（５）上記した各実施形態以外にも、ＬＥＤ基板に実装するＬＥＤの具体的な設置数及び配置、シャーシにおけるＬＥＤ基板の設置数及び配置などは適宜に変更可能である。具体的には、ＬＥＤ基板に実装するＬＥＤの数は、ＬＥＤ基板の並び方向について奇数個とすることも可能であり、またＬＥＤ基板の並び方向と直交する方向について奇数個とすることも可能である。それ以外にも、上記した実施形態６，７において、第１のＬＥＤ群及び第２のＬＥＤ群に含まれる第１のＬＥＤ及び第２のＬＥＤの具体的な数は、４つ以外にも適宜に変更可能である。
【００８１】
（６）上記した各実施形態では、シャーシ内に収容されるＬＥＤが全て同一の部材とされた場合を示したが、シャーシ内に異なる構造のＬＥＤが混在する構成としたものも本発明に含まれる。その場合、シャーシ内に収容されるＬＥＤに、配光分布に異方性を有するＬＥＤが少なくとも１種類含まれているのであれば、配光分布に等方性を有するＬＥＤが含まれていても構わない。また、シャーシ内にＬＥＤ素子の配置が異なるＬＥＤを複数種類収容したり、蛍光体の種類や配合比率などが異なるＬＥＤを複数種類収容することも可能である。
【００８２】
（７）上記した各実施形態では、シャーシ内に収容されるＬＥＤ基板が全て同一の部材とされた場合を示したが、シャーシ内に異なる構造のＬＥＤ基板が混在する構成としたものも本発明に含まれる。
【００８３】
（８）上記した実施形態１，３のようにＬＥＤが複数のＬＥＤ素子を有する場合には、複数のＬＥＤ素子に発光色（主発光波長）が異なるものを含ませることも可能である。具体的には、実施形態３のように３つのＬＥＤ素子を有するＬＥＤでは、赤色光を発光する赤色発光ＬＥＤ素子と、緑色光を発光する緑色発光ＬＥＤ素子と、青色光を発光する青色発光ＬＥＤ素子とを設けるようにしてもよい。
【００８４】
（９）上記した実施形態１，３のようにＬＥＤが複数のＬＥＤ素子を有するものにおいて、複数のＬＥＤ素子の平面配置を適宜に変更することも可能である。具体的には、実施形態３のように３つのＬＥＤ素子を有するＬＥＤでは、３つのＬＥＤ素子をいずれもＬＥＤの中心から外れた配置とし、中心を取り囲むよう略環状（トライアングル状）に配置することも可能である。
【００８５】
（１０）上記した各実施形態以外にも、ＬＥＤにおける封止材に含有させる蛍光体の種類は適宜に変更可能である。例えば、赤色蛍光体及び緑色蛍光体に加えて、ＬＥＤ素子からの青色光によって黄色光を発光する黄色蛍光体を用いることも可能である。逆に、赤色蛍光体及び緑色蛍光体に代えて黄色蛍光体を用いることも可能である。
【００８６】
（１１）上記した各実施形態では、ＬＥＤがＬＥＤ素子を１個から３個有する場合を示したが、ＬＥＤがＬＥＤ素子を４個以上有する構成としたものも本発明に含まれる。
【００８７】
（１２）上記した各実施形態では、カラーフィルタの着色部を３色とした場合を示したが、赤色、緑色、青色の３色に黄色を加えて４色の着色部からなるカラーフィルタを備えたものにも本発明は適用可能である。
【００８８】
（１３）上記した各実施形態では、光源としてＬＥＤを用いたものを示したが、有機ＥＬなどの他の光源を用いることも可能である。
【００８９】
（１４）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【００９０】
（１５）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００９１】
（１６）上記した各実施形態では、表示パネルとして液晶パネルを用いた液晶表示装置を例示したが、他の種類の表示パネルを用いた表示装置にも本発明は適用可能である。
【００９２】
（１７）上記した各実施形態では、チューナーを備えたテレビ受信装置を例示したが、チューナーを備えない表示装置にも本発明は適用可能である。
【符号の説明】
【００９３】
１０…液晶表示装置（表示装置）、１１…液晶パネル（表示パネル）、１２…バックライト装置（照明装置）、１４，１１４，３１４，４１４…シャーシ、１４ａ，１１４ａ…底板、１４ｂ…光出射部、１７Ａ，１１７Ａ，２１７Ａ，３１７Ａ，５１７Ａ，６１７Ａ…第１のＬＥＤ（第１の光源）、１７Ｂ，１１７Ｂ，２１７Ｂ，３１７Ｂ，５１７Ｂ，６１７Ｂ…第２のＬＥＤ（第２の光源）、１８，３１８，４１８，６１８，７１８…ＬＥＤ基板（光源基板）、２０，１２０，２２０…ＬＥＤ素子（発光素子）、ＴＶ…テレビ受信装置
【図１】
2013161636.tif 000003
【図２】
2013161636.tif 000004
【図３】
2013161636.tif 000005
【図４】
2013161636.tif 000006
【図５】
2013161636.tif 000007
【図６】
2013161636.tif 000008
【図７】
2013161636.tif 000009
【図８】
2013161636.tif 000010
【図９】
2013161636.tif 000011
【図１０】
2013161636.tif 000012
【図１１】
2013161636.tif 000013
【図１２】
2013161636.tif 000014
【図１３】
2013161636.tif 000015
【図１４】
2013161636.tif 000016
【図１５】
2013161636.tif 000017
【図１６】
2013161636.tif 000018
【図１７】
2013161636.tif 000019
【図１８】
2013161636.tif 000020
【図１９】
2013161636.tif 000021